(57)【特許請求の範囲】
【請求項１】
データを所定の伝送形式に変換して外部機器へ伝送する電源供給を必要とする複数のインターフェース部と、該インターフェース部に電力を供給する１個の電源部と、前記インターフェース部とは独立して電力供給を受けて前記電源部を制御する機能を備える制御部と、各インターフェース部が外部機器にデータ伝送ができる状態を接続状態としたときに、該接続状態であるか否かを検出する検出部とを備えるデータ伝送装置の制御方法であって、
前記制御部によって、前記インターフェース部が前記接続状態であることを前記検出部が検出した場合には、前記電源部から全ての前記インターフェース部に電力を供給するように制御し、何れの前記インターフェース部も前記接続状態ではないことを前記検出部が検出した場合には、前記電源部から何れの前記インターフェース部にも電力の供給を停止するように制御することを特徴とするデータ伝送装置の制御方法。
【請求項２】
外部機器へ伝送するためのデータを出力しようとするインターフェース部が、接続状態であることを検出部が検出している場合には、該インターフェース部に前記データを出力し、前記インターフェース部が前記接続状態ではないことを前記検出部が検出している場合には、前記インターフェース部が外部機器へ伝送する出力レベルが低レベルとなるような信号を前記インターフェース部に出力するように制御することを特徴とする請求項１に記載の制御方法。
【請求項３】
何れかのインターフェース部が接続状態であることを検出部が検出した場合には、外部機器へ伝送するためのデータを、所望の前記インターフェース部に出力し、何れの前記インターフェース部も前記接続状態ではないことを前記検出部が検出した場合には、前記データを何れの前記インターフェース部にも出力しないように制御することを特徴とする請求項１または２に記載の制御方法。
【請求項４】
データを所定の伝送形式に変換して外部機器へ伝送する電源供給を必要とする複数のインターフェース部と、
該インターフェース部に電力を供給する１個の電源部と、
前記インターフェース部とは独立して電力供給を受けて前記電源部を制御する制御ユニットと、
各インターフェース部が外部機器にデータ伝送ができる状態を接続状態としたときに、該接続状態であるか否かを検出して、接続検出信号を制御ユニットに出力する検出部とを備えるデータ伝送装置の制御ユニットであって、
前記接続検出信号により、何れかの前記インターフェース部が前記接続状態であることを検知した場合には、前記電源部から全ての前記インターフェース部に電力を供給するように制御する電力制御信号を電源部に出力し、何れの前記インターフェース部も前記接続状態ではないことを検知した場合には、前記電源部から何れの前記インターフェース部にも電力を供給しないように制御する電力制御信号を電源部に出力する電力制御手段を備えることを特徴とするデータ伝送装置の制御ユニット。
【請求項５】
データを所定の伝送形式に変換して外部機器へ伝送する電源供給を必要とする複数のインターフェース部と、
各インターフェース部に電力を供給する複数個の電源部と、
前記インターフェース部とは独立して電力供給を受けて前記電源部を制御する制御ユニットと、
各インターフェース部が外部機器にデータ伝送ができる状態を接続状態としたときに、該接続状態であるか否かを検出して、接続検出信号を制御ユニットに出力する検出部と、
前記接続検出信号により、何れかの前記インターフェース部が前記接続状態であることを検知した場合には、前記電源部から全ての前記インターフェース部に電力を供給するように制御する電力制御信号を電源部に出力し、何れの前記インターフェース部も前記接続状態ではないことを検知した場合には、前記電源部から何れの前記インターフェース部にも電力を供給しないように制御する電力制御信号を電源部に出力する電力制御手段とを備えたデータ伝送装置の制御ユニットであって、
前記電力制御手段は、前記検出部からの接続検出信号により、何れかの前記インターフェース部が前記接続状態であることを検知した場合には、前記電源部からそれぞれの前記インターフェース部に電力を供給するように制御する電力制御信号を各電源部に出力し、何れの前記インターフェース部も前記接続状態ではないことを検知した場合には、前記電源部から何れの前記インターフェース部にも電力を供給しないように制御する電力制御信号を電源部に出力する第１の電力制御処理と、
前記接続検出信号により、接続状態にあるインターフェース部にのみ電力を供給するように制御する電力制御信号を前記電源部に出力する第２の電力制御処理とを行ない、
外部からのモード制御信号に基づき、第１および第２の電力制御処理の何れか一方を行なうように切り替えることを特徴とするデータ伝送装置の制御ユニット。
【請求項６】
制御ユニットは、外部機器へ伝送するためのデータをインターフェース部へ出力することを制御するものであり、
検出部からの接続検出信号により、外部機器へ伝送するためのデータを出力しようとするインターフェース部が、接続状態であることを検知している場合には、該インターフェース部に前記データを出力し、前記インターフェース部が前記接続状態ではないことを検知している場合には、前記インターフェース部が外部機器へ伝送する出力レベルが低レベルとなるような信号を前記インターフェース部に出力するように制御することを特徴とする請求項４または５に記載のデータ伝送装置の制御ユニット。
【請求項７】
制御ユニットは、外部機器へ伝送するためのデータをインターフェース部へ出力することを制御するものであり、
検出部からの接続検出信号により、何れかのインターフェース部が接続状態であることを検知した場合には、前記データを、所望の前記インターフェース部に出力し、何れの前記インターフェース部も前記接続状態ではないことを検知した場合には、前記データを何れの前記インターフェース部にも出力しないように制御することを特徴とする請求項４から６のいずれか１項に記載のデータ伝送装置の制御ユニット。
【請求項８】
制御ユニットは、ＩＥＥＥ  Ｓｔｄ  １３９４シリアルバス規格に準拠したデータ通信を行なうものであることを特徴とする請求項４から７の何れか１項に記載のデータ伝送装置の制御ユニット。
【請求項９】
データを所定の伝送形式に変換して外部機器へ伝送する複数のインターフェース部と、
該インターフェース部に電力を供給する１または複数個の電源部と、
請求項４から８までの何れか１項記載の制御ユニットと、
各インターフェース部が外部機器と接続状態であるか否かを検出して、接続検出信号を制御ユニットに出力する検出部とを備えることを特徴とするデータ伝送装置。
【発明の詳細な説明】
【０００１】
【発明の属する技術分野】
本発明は、情報処理または通信を行なうシステムに利用される、外部にデータを伝送するためのデータ伝送装置に関するものである。具体的には、本発明は、前記データ伝送装置において外部にデータを伝送するインターフェース部（以下、Ｉ／Ｆ部と略称する。）の省電力化に関するものである。
【０００２】
【従来の技術】
コンピュータ等の情報処理機器や、モデム、交換器等の通信機器は、外部との情報交換を行なうためのデータ伝送装置を備えており、該データ伝送装置は、外部にデータを伝送する複数のＩ／Ｆ部を備えている。
【０００３】
【発明が解決しようとする課題】
一般に、前記Ｉ／Ｆ部は、外部へデータを伝送するため、機器内部の他の回路に比べて消費電力が大きい傾向があり、特に、外部へ電磁波やレーザ光を出力する場合や、多数のＩ／Ｆ部を備える場合には顕著である。
【０００４】
このため、特に省電力化が要求される携帯型機器では、データ伝送装置は、各Ｉ／Ｆ部へ電力を供給する複数の電源部を備えており、該電源部は、外部との信号の入出力を行なっていないＩ／Ｆ部への電力供給を停止するように制御することが広く行なわれている。前記データ伝送装置は、前記電源部が前記Ｉ／Ｆ部への電力供給をきめ細かく制御することにより、消費電力を小さく抑えることができる。
【０００５】
しかしながら、前記データ伝送装置は、Ｉ／Ｆ部と同数の電源部を必要とするため、部品点数が増え、コストの上昇と機器のサイズの増大を招くことになる。
【０００６】
また、Ｉ／Ｆ部と、データをＩ／Ｆ部に出力する制御ユニットとの間の信号形式によっては、電源部からＩ／Ｆ部に電力の供給が停止されている状態で、Ｉ／Ｆ部にデータが入力されると、制御ユニットあるいはＩ／Ｆ部の内部回路が故障するおそれがある。
【０００７】
また、電源部がＩ／Ｆ部の前記電力制御を行なわない機器では、前記電力制御により消費電力を小さく抑えることができないという問題点がある。
【０００８】
本発明は、データ伝送装置におけるＩ／Ｆ部の消費電力を抑えることができるデータ伝送装置の制御方法、データ伝送装置の制御ユニットおよびデータ伝送装置を提供することを目的とする。
【０００９】
【課題を解決するための手段】
上記の課題を解決するために、本発明のデータ伝送装置の制御方法は、データを所定の伝送形式に変換して外部機器へ伝送する電源供給を必要とする複数のＩ／Ｆ部と、該Ｉ／Ｆ部に電力を供給する１個の電源部と、前記Ｉ／Ｆ部とは独立して電力供給を受けて前記電源部を制御する機能を備える制御部と、各Ｉ／Ｆ部が外部機器にデータ伝送ができる状態を接続状態としたときに、該接続状態であるか否かを検出する検出部とを備えるデータ伝送装置の制御方法であって、何れかの前記Ｉ／Ｆ部が前記接続状態であることを前記検出部が検出した場合には、前記電源部から全ての前記Ｉ／Ｆ部に電力を供給するように制御し、何れの前記Ｉ／Ｆ部も前記接続状態ではないことを前記検出部が検出した場合には、前記電源部から何れの前記Ｉ／Ｆ部にも電力の供給を停止するように制御することを特徴とする。
【００１０】
前記接続状態は、前記Ｉ／Ｆ部が外部機器にデータを伝送できる状態を意味する。従って、前記Ｉ／Ｆ部と前記外部機器とが、光ケーブル等の有線により接続状態となることもあれば、電磁波等の無線により接続状態となることもある。また、前記接続状態は、前記Ｉ／Ｆ部が外部機器にデータを伝送できる状態であればよく、外部機器がデータを受け入れることができる状態である必要はない。従って、例えば、外部機器にデータを伝送するためのケーブルが、前記Ｉ／Ｆ部に接続されていれば、前記Ｉ／Ｆ部は、前記接続状態であるとみなすことができる。
【００１１】
上記制御方法において、何れかの前記Ｉ／Ｆ部が前記接続状態である場合には、前記電源部から全ての前記Ｉ／Ｆ部に電力を供給するように制御される。これにより、接続状態にあるＩ／Ｆ部に電力が供給されて外部機器へデータを伝送できる。また、何れの前記Ｉ／Ｆ部も前記接続状態ではない場合には、前記電源部から何れの前記Ｉ／Ｆ部にも電力の供給を停止するように制御される。これにより、全ての前記Ｉ／Ｆ部の消費電力がゼロとなる。
【００１２】
従って、本発明のデータ伝送装置の制御方法は、電源部が１つであっても、全ての前記Ｉ／Ｆ部が接続状態ではないときに省電力化できるから、少ない部品点数で省電力化が実現できる。
【００１３】
さらに、本発明のデータ伝送装置の制御方法は、上記の構成において、外部機器へ伝送するためのデータを出力しようとするＩ／Ｆ部が、接続状態であることを検出部が検出している場合には、該Ｉ／Ｆ部に前記データを出力し、前記Ｉ／Ｆ部が前記接続状態ではないことを前記検出部が検出している場合には、前記Ｉ／Ｆ部が外部機器へ伝送する出力レベルが低レベルとなるような信号を前記Ｉ／Ｆ部に出力するように制御することを特徴とする。
【００１４】
上記制御方法において、前記データを出力しようとするＩ／Ｆ部が接続状態である場合には、該Ｉ／Ｆ部に前記データを出力するように制御される。これにより、接続状態にあるＩ／Ｆ部は、外部機器へデータを伝送できる。また、前記データを出力しようとするＩ／Ｆ部が前記接続状態ではない場合には、前記Ｉ／Ｆ部が外部機器へ伝送する出力レベルが低レベルとなるような信号を前記Ｉ／Ｆ部に出力するように制御される。これにより、接続状態ではない前記Ｉ／Ｆ部の出力レベルが低下するから、省電力化を実現できる。
【００１５】
従って、本発明のデータ伝送装置の制御方法は、何れかの前記Ｉ／Ｆ部が接続状態であるために、電力制御による省電力化を行なうことができない場合であっても、接続状態ではないＩ／Ｆ部の省電力化を実現できる。
【００１６】
さらに、本発明のデータ伝送装置の制御方法は、上記の構成において、何れかの前記Ｉ／Ｆ部が接続状態であることを検出部が検出した場合には、外部機器へ伝送するためのデータを、所望の前記Ｉ／Ｆ部に出力し、何れの前記Ｉ／Ｆ部も前記接続状態ではないことを前記検出部が検出した場合には、前記データを何れの前記Ｉ／Ｆ部にも出力しないように制御することを特徴とする。
【００１７】
上記制御方法において、何れかの前記Ｉ／Ｆ部が接続状態である場合には、全ての前記Ｉ／Ｆ部に電力を供給すると共に、前記データを所望の前記Ｉ／Ｆ部に出力するように制御される。これにより、接続状態にあるＩ／Ｆ部は、外部機器へデータを伝送できる。また、何れの前記Ｉ／Ｆ部も前記接続状態ではない場合には、全ての前記Ｉ／Ｆ部に電力の供給を停止すると共に、前記データを何れの前記Ｉ／Ｆ部にも出力しないように制御される。これにより、電力の供給が停止された前記Ｉ／Ｆ部に前記データが入力されることはない。
【００１８】
従って、本発明のデータ伝送装置の制御方法は、電力の供給が停止された前記Ｉ／Ｆ部に前記データが入力されることにより生じるおそれがあるＩ／Ｆ部の内部回路の故障を防止できる。
【００１９】
また、本発明のデータ伝送装置の制御方法は、複数の前記Ｉ／Ｆ部と、前記検出部とを備えるデータ伝送装置の制御方法であって、外部機器へ伝送するためのデータを出力しようとするＩ／Ｆ部が、接続状態であることを検出部が検出している場合には、該Ｉ／Ｆ部に前記データを出力し、前記Ｉ／Ｆ部が前記接続状態ではないことを前記検出部が検出している場合には、前記Ｉ／Ｆ部が外部機器へ伝送する出力レベルが低レベルとなるような信号を前記Ｉ／Ｆ部に出力するように制御することを特徴とする。
【００２０】
上記制御方法において、前記データを出力しようとするＩ／Ｆ部が接続状態である場合には、該Ｉ／Ｆ部に前記データを出力するように制御される。これにより、接続状態にあるＩ／Ｆ部は、外部機器へデータを伝送できる。また、前記データを出力しようとするＩ／Ｆ部が前記接続状態ではない場合には、前記Ｉ／Ｆ部が外部機器へ伝送する出力レベルが低レベルとなるような信号を前記Ｉ／Ｆ部に出力するように制御される。これにより、接続状態ではない前記Ｉ／Ｆ部の出力レベルが低下するから、省電力化を実現できる。
【００２１】
従って、本発明のデータ伝送装置の制御方法は、Ｉ／Ｆ部の電力制御による省電力化を行なうことがないデータ伝送装置であっても、接続状態ではないＩ／Ｆ部の省電力化を実現できる。
【００２２】
また、本発明のデータ伝送装置の制御方法は、複数の前記Ｉ／Ｆ部と、前記検出部とを備えるデータ伝送装置の制御方法であって、外部機器へ伝送するためのデータを出力しようとするＩ／Ｆ部が、接続状態であることを検出部が検出している場合には、該Ｉ／Ｆ部に前記データを出力し、前記Ｉ／Ｆ部が前記接続状態ではないことを前記検出部が検出している場合には、前記Ｉ／Ｆ部に前記データを出力しないように制御することを特徴とする。
【００２３】
上記制御方法において、前記データを出力しようとするＩ／Ｆ部が接続状態である場合には、該Ｉ／Ｆ部に前記データを出力するように制御される。これにより、接続状態にあるＩ／Ｆ部は、外部機器へデータを伝送できる。また、前記Ｉ／Ｆ部が前記接続状態ではない場合には、前記Ｉ／Ｆ部に前記データを出力しないように制御される。これにより、接続状態にはない前記Ｉ／Ｆ部は、外部機器へデータを伝送することがないから、省電力化を実現できる。
【００２４】
従って、本発明のデータ伝送装置の制御方法は、Ｉ／Ｆ部の電力制御による省電力化を行なうことがないデータ伝送装置であっても、接続状態ではないＩ／Ｆ部の省電力化を実現できる。また、Ｉ／Ｆ部の電力制御による省電力化を行なうデータ伝送装置であっても、接続状態にないために電力の供給が停止された前記Ｉ／Ｆ部に前記データが入力されることにより生じるおそれがあるＩ／Ｆ部の内部回路の故障を防止できる。
【００２５】
また、本発明の制御ユニットを備えるデータ伝送装置は、複数の前記Ｉ／Ｆ部と、１個の前記電源部と、該電源部を制御する制御ユニットと、各Ｉ／Ｆ部が外部機器と接続状態であるか否かを検出して、接続検出信号を制御ユニットに出力する検出部とを備える。前記制御ユニットは、前記接続検出信号により、何れかの前記Ｉ／Ｆ部が前記接続状態であることを検知した場合には、前記電源部から全ての前記Ｉ／Ｆ部に電力を供給するように制御する電力制御信号を電源部に出力し、何れの前記Ｉ／Ｆ部も前記接続状態ではないことを検知した場合には、前記電源部から何れの前記Ｉ／Ｆ部にも電力を供給しないように制御する電力制御信号を電源部に出力する電力制御手段を備えることを特徴とする。
【００２６】
前記データ伝送装置において、各検出部は、それぞれのＩ／Ｆ部の接続状態に対応した接続検出信号を前記制御ユニットに出力し、前記制御ユニットは、前記接続検出信号に基づく電力制御信号を前記電源部に出力し、かつ、前記電源部は、前記電力制御信号に基づいて、前記Ｉ／Ｆ部への電力の供給あるいは供給停止を行なう。
【００２７】
上記構成の制御ユニットは、何れかの前記Ｉ／Ｆ部が前記接続状態である場合には、前記電源部から全ての前記Ｉ／Ｆ部に電力を供給するように制御する電力制御信号を電源部に出力し、何れの前記Ｉ／Ｆ部も前記接続状態ではないことを検知した場合には、前記電源部から何れの前記Ｉ／Ｆ部にも電力を供給しないように制御する電力制御信号を前記電源部に出力する。
【００２８】
このとき、前記データ伝送装置は、何れかの前記Ｉ／Ｆ部が前記接続状態である場合には、前記制御ユニットの制御により、前記電源部から全ての前記Ｉ／Ｆ部に電力が供給される。これにより、接続状態にあるＩ／Ｆ部に電力が供給されて外部機器へデータを伝送できる。また、何れの前記Ｉ／Ｆ部も前記接続状態ではない場合には、前記制御ユニットの制御により、前記電源部は、全てのＩ／Ｆ部への電力供給が停止される。これにより、全ての前記Ｉ／Ｆ部の消費電力がゼロとなる。
【００２９】
従って、本発明の制御ユニットを備えたデータ伝送装置は、電源部が１つであっても、全ての前記Ｉ／Ｆ部が接続状態ではないときに省電力化できるから、少ない部品点数で省電力化が実現できる。
【００３０】
さらに、本発明の制御ユニットは、上記の構成において、外部機器へ伝送するためのデータを前記Ｉ／Ｆ部へ出力することを制御するものであり、前記接続検出信号により、前記データを出力しようとする前記Ｉ／Ｆ部が、接続状態であることを検知している場合には、該Ｉ／Ｆ部に前記データを出力し、前記Ｉ／Ｆ部が前記接続状態ではないことを検知している場合には、前記Ｉ／Ｆ部が外部機器へ伝送する出力レベルが低レベルとなるような信号を前記Ｉ／Ｆ部に出力するように制御することを特徴とする。
【００３１】
上記構成の制御ユニットは、前記接続検出信号に基づいて、前記データのＩ／Ｆ部への出力を制御する。すなわち、前記データを出力しようとするＩ／Ｆ部が接続状態である場合には、該Ｉ／Ｆ部に前記データを出力し、前記Ｉ／Ｆ部が前記接続状態ではない場合には、前記Ｉ／Ｆ部が外部機器へ伝送する出力レベルが低レベルとなるような信号を前記Ｉ／Ｆ部に出力するように制御する。
【００３２】
このとき、前記データ伝送装置は、前記制御ユニットの制御により、前記データを出力しようとするＩ／Ｆ部が接続状態である場合には、該Ｉ／Ｆ部に前記データが出力される。これにより、接続状態にあるＩ／Ｆ部は、外部機器へデータを伝送できる。また、前記データを出力しようとするＩ／Ｆ部が前記接続状態ではない場合には、前記Ｉ／Ｆ部が外部機器へ伝送する出力レベルが低レベルとなるような信号が前記Ｉ／Ｆ部に出力される。これにより、接続状態ではない前記Ｉ／Ｆ部の出力レベルが低下するから、省電力化を実現できる。
【００３３】
従って、本発明の制御ユニットを備えたデータ伝送装置は、何れかの前記Ｉ／Ｆ部が接続状態であるために、電力制御による省電力化を行なうことができない場合であっても、接続状態ではないＩ／Ｆ部の省電力化を実現できる。
【００３４】
さらに、本発明の制御ユニットは、上記の構成において、外部機器へ伝送するためのデータを前記Ｉ／Ｆ部へ出力することを制御するものであり、前記接続検出信号により、何れかの前記Ｉ／Ｆ部が接続状態であることを検知した場合には、前記データを、所望の前記Ｉ／Ｆ部に出力し、何れの前記Ｉ／Ｆ部も前記接続状態ではないことを検知した場合には、前記データを何れの前記Ｉ／Ｆ部にも出力しないように制御することを特徴とする。
【００３５】
上記構成の制御ユニットは、前記接続検出信号に基づいて、前記データのＩ／Ｆ部への出力を制御する。すなわち、前記データを出力しようとするＩ／Ｆ部が接続状態である場合には、該Ｉ／Ｆ部に前記データを出力し、前記Ｉ／Ｆ部が前記接続状態ではない場合には、前記Ｉ／Ｆ部に前記データを出力しないように制御する。
【００３６】
このとき、前記データ伝送装置は、前記制御ユニットの制御により、何れかの前記Ｉ／Ｆ部が接続状態である場合には、全ての前記Ｉ／Ｆ部に電力を供給すると共に、前記データを所望の前記Ｉ／Ｆ部に出力するように制御される。これにより、接続状態にあるＩ／Ｆ部は、外部機器へデータを伝送できる。また、何れの前記Ｉ／Ｆ部も前記接続状態ではない場合には、全ての前記Ｉ／Ｆ部に電力の供給を停止すると共に、前記データを何れの前記Ｉ／Ｆ部にも出力しないように制御される。これにより、電力の供給が停止された前記Ｉ／Ｆ部に前記データが入力されることはない。
【００３７】
従って、本発明の制御ユニットを備えたデータ伝送装置は、電力の供給が停止された前記Ｉ／Ｆ部に前記データが入力されることにより生じるおそれがあるＩ／Ｆ部の内部回路の故障を防止できる。
【００３８】
さらに、本発明の制御ユニットを備えるデータ伝送装置は、各Ｉ／Ｆ部に電力を供給する複数個の電源部を備えており、前記制御ユニットは、上記の構成において、以下の特徴を有する。
【００３９】
前記電力制御手段は、前記接続検出信号により、何れかの前記Ｉ／Ｆ部が前記接続状態であることを検知した場合には、前記電源部からそれぞれの前記Ｉ／Ｆ部に電力を供給するように制御する電力制御信号を各電源部に出力し、何れの前記Ｉ／Ｆ部も前記接続状態ではないことを検知した場合には、前記電源部から何れの前記Ｉ／Ｆ部にも電力を供給しないように制御する電力制御信号を電源部に出力する第１の電力制御処理と、前記接続検出信号により、接続状態にあるＩ／Ｆ部にのみ電力を供給するように制御する電力制御信号を前記電源部に出力する第２の電力制御処理を行なう。制御ユニットは、外部からのモード信号に基づき、第１および第２の電力制御処理の何れか一方を行なうように切り替える。
【００４０】
上記構成の制御ユニットは、前記モード信号により、第１の電力制御処理を行なう際には、何れかの前記Ｉ／Ｆ部が前記接続状態である場合には、前記電源部からそれぞれの前記Ｉ／Ｆ部に電力を供給するように制御する電力制御信号を各電源部に出力し、何れの前記Ｉ／Ｆ部も前記接続状態ではない場合には、前記電源部から何れの前記Ｉ／Ｆ部にも電力を供給しないように制御する電力制御信号を電源部に出力する。一方、前記制御ユニットは、前記モード信号により、第２の電力制御処理を行なう際には、接続状態にあるＩ／Ｆ部にのみ電力を供給するように制御する電力制御信号を前記電源部に出力する。
【００４１】
このとき、前記データ伝送装置は、１つの前記電源部により全ての前記Ｉ／Ｆ部の電力制御を行なう場合には、前記制御ユニットの第１の電力制御処理を行ない、複数の前記電源部によりそれぞれのＩ／Ｆ部の電力制御を行なう場合には、前記制御ユニットの第２の電力制御処理を行なうことにより、電源部の数に応じた電力制御を行なって、省電力化を実現できる。
【００４２】
また、本発明の制御ユニットを備えるデータ伝送装置は、複数の前記Ｉ／Ｆ部と、前記データを前記Ｉ／Ｆ部に出力することを制御する制御ユニットと、前記検出部とを備える。前記制御ユニットは、前記接続検出信号により、外部機器へ伝送するためのデータを出力しようとするＩ／Ｆ部が、接続状態であることを検知している場合には、該Ｉ／Ｆ部に前記データを出力し、前記Ｉ／Ｆ部が前記接続状態ではないことを検知している場合には、前記Ｉ／Ｆ部が外部機器へ伝送する出力レベルが低レベルとなるような信号を前記Ｉ／Ｆ部に出力するように制御することを特徴とする。
【００４３】
前記データ伝送装置において、各検出部は、それぞれのＩ／Ｆ部の接続状態に対応した接続検出信号を前記制御ユニットに出力し、前記制御ユニットは、前記接続検出信号に基づいて、前記データを前記Ｉ／Ｆ部に出力することを制御する。
【００４４】
上記構成の制御ユニットは、前記データを出力しようとするＩ／Ｆ部が接続状態である場合には、該Ｉ／Ｆ部に前記データを出力する。これにより、接続状態にあるＩ／Ｆ部は、外部機器へデータを伝送できる。また、前記Ｉ／Ｆ部が前記接続状態ではない場合には、前記Ｉ／Ｆ部が外部機器へ伝送する出力レベルが低レベルとなるような信号を前記Ｉ／Ｆ部に出力するように制御する。これにより、接続状態ではない前記Ｉ／Ｆ部の出力レベルが低下するから、省電力化を実現できる。
【００４５】
従って、本発明の制御ユニットを備えたデータ伝送装置は、Ｉ／Ｆ部の電力制御による省電力化を行なうことがないデータ伝送装置であっても、接続状態ではないＩ／Ｆ部の省電力化を実現できる。
【００４６】
また、本発明の制御ユニットを備えるデータ伝送装置は、複数の前記Ｉ／Ｆ部と、前記データを前記Ｉ／Ｆ部に出力することを制御する制御ユニットと、前記検出部とを備える。前記制御ユニットは、前記接続検出信号により、前記データを出力しようとするＩ／Ｆ部が、接続状態であることを検知している場合には、該Ｉ／Ｆ部に前記データを出力し、前記Ｉ／Ｆ部が前記接続状態ではないことを検知している場合には、前記Ｉ／Ｆ部に前記データを出力しないように制御することを特徴とする。
【００４７】
前記データ伝送装置において、各検出部は、それぞれのＩ／Ｆ部の接続状態に対応した接続検出信号を前記制御ユニットに出力し、前記制御ユニットは、前記接続検出信号に基づいて、前記データを前記Ｉ／Ｆ部に出力することを制御する。
【００４８】
上記構成の制御ユニットは、前記データを出力しようとするＩ／Ｆ部が、接続状態である場合には、該Ｉ／Ｆ部に前記データを出力する。これにより、接続状態にあるＩ／Ｆ部は、外部機器へデータを伝送できる。また、前記Ｉ／Ｆ部が前記接続状態ではない場合には、前記Ｉ／Ｆ部に前記データを出力しない。これにより、接続状態にはない前記Ｉ／Ｆ部は、外部機器へデータを伝送することがないから、省電力化を実現できる。
【００４９】
従って、本発明の制御ユニットを備えたデータ伝送装置は、Ｉ／Ｆ部の電力制御による省電力化を行なうことがないデータ伝送装置であっても、接続状態ではないＩ／Ｆ部の省電力化を実現できる。また、Ｉ／Ｆ部の電力制御による省電力化を行なうデータ伝送装置であっても、接続状態にないために電力の供給が停止された前記Ｉ／Ｆ部に前記データが入力されることにより生じるおそれがあるＩ／Ｆ部の内部回路の故障を防止できる。
【００５０】
なお、以上の制御ユニットは、ＩＥＥＥ  Ｓｔｄ  １３９４シリアルバス規格に準拠したデータ通信を行なうものであってもよい。
【００５１】
また、本発明のデータ伝送装置は、複数前記Ｉ／Ｆ部と、１または複数個の前記電源部と、上述の何れかの特徴を有する制御ユニットと、前記検出部とを備えることを特徴とする。
【００５２】
上記構成のデータ伝送装置であれば、上述した効果を得ることができる。
【００５３】
【発明の実施の形態】
〔実施の形態１〕
本発明の実施の一形態について図１〜３に基づいて説明する。
【００５４】
図１は、本実施形態のデータ伝送装置の概略構成を示すブロック図である。前記データ伝送装置１は、光通信により外部機器にデータを伝送する３個のＩ／Ｆ部２ａ、２ｂ、２ｃと、Ｉ／Ｆ部２ａ〜２ｃに電力を供給する１個の電源部３と、Ｉ／Ｆ部２ａ〜２ｃおよび電源部３を制御する制御部（制御ユニット）４と、各Ｉ／Ｆ部２ａ〜２ｃが外部機器と接続状態であるか否かをそれぞれ検出して、接続検出信号を制御部４に送信する検出部５ａ、５ｂ、５ｃとを備える。
【００５５】
Ｉ／Ｆ部２ａ〜２ｃには、プラグ６ａ、６ｂが挿脱可能に接続されている。このプラグ６ａ、６ｂは、光ファイバ７ａ、７ｂにおける一方の端子に相当するものである。なお、光ファイバ７ａ、７ｂの他方の端子に相当するプラグ（図示せず）は、図示しない外部機器へ接続される。また、本実施形態および以下の実施形態では、Ｉ／Ｆ部２ａ〜２ｃにプラグが接続されているか否かにより、接続状態であるか否かが判断される。また、Ｉ／Ｆ部２ａ〜２ｃは、制御部４との間で、電気信号であるデータ信号１０１ａ、１０１ｂ、１０１ｃの入出力をそれぞれ行なう。
【００５６】
Ｉ／Ｆ部２ａ〜２ｃは、図には示していないが、電気信号を光信号に変換して出力する発光素子と、入力した光信号を電気信号に変換する受光素子とを備えている。制御部４からＩ／Ｆ部２ａ〜２ｃに入力された、電気信号としてのデータ信号１０１ａ〜１０１ｃは、発光素子によって光信号に変換され、変換された光信号がプラグ６ａ、６ｂおよび光ファイバ７ａ、７ｂを介して外部機器に出力される。また、データ信号として外部機器から光ファイバ７ａ、７ｂおよびプラグ６ａ、６ｂを介してＩ／Ｆ部２ａ〜２ｃに入力された光信号は、受光素子によって電気信号に変換され、変換された電気信号がデータ信号１０１ａ〜１０１ｃとして制御部４に出力される。
【００５７】
Ｉ／Ｆ部２ａ〜２ｃの作動は、電源部３から電力供給線８を介して電力が供給されることにより行なわれる。電源部３は、制御部４からの電力制御信号１０２に基づいて、Ｉ／Ｆ部２ａ〜２ｃへの電力の供給および電力の供給停止を切り換える。
【００５８】
本実施形態では、電力制御信号１０２がデジタル信号であり、電源部３は、電力制御信号１０２の論理レベルが「１」である場合に、Ｉ／Ｆ部２ａ〜２ｃに電力を供給し、電力制御信号１０２の論理レベルが「０」である場合に、Ｉ／Ｆ部２ａ〜２ｃへの電力供給を停止することにする。
【００５９】
検出部５ａ〜５ｃは、それぞれＩ／Ｆ部２ａ〜２ｃにプラグが接続されているか否かを検出し、それぞれ接続検出信号１０３ａ、１０３ｂ、１０３ｃを制御部４に出力する。本実施形態では、検出部５ａ〜５ｃは、Ｉ／Ｆ部２ａ〜２ｃにプラグが接続されていること（以下、この状態を「接続状態にある」と称する。）を検出した場合には、論理レベルが「１」である接続検出信号１０３ａ〜１０３ｃを出力し、接続されていないこと（以下、この状態を「非接続状態にある」と称する。）を検出した場合には、論理レベルが「０」である接続検出信号１０３ａ〜１０３ｃを出力するものとする。
【００６０】
制御部４は、コンピュータ等の外部機器から入出力信号１０４として入力された電気信号を、光通信に適した伝送形式に変調し、変調した電気信号をデータ信号１０１ａ〜１０１ｃとしてＩ／Ｆ部２ａ〜２ｃにそれぞれ出力する。なお、制御部４は、入出力信号１０４に含まれる情報に基づいて、Ｉ／Ｆ部２ａ〜２ｃの中の１つにデータ信号を出力することもできるし、全てのＩ／Ｆ部２ａ〜２ｃにデータ信号を同報出力することもできる。
【００６１】
また、制御部４は、Ｉ／Ｆ部２ａ〜２ｃからデータ信号１０１ａ〜１０１ｃとして入力された電気信号を、適当な伝送形式に復調し、復調した電気信号を入出力信号１０４として外部機器に出力する。前記変復調としては、例えば、プロトコル変換、アナログ−デジタル変換、パラレル−シリアル変換等が挙げられる。また、制御部４は、検出部５ａ〜５ｃから入力された接続検出信号１０３ａ〜１０３ｃに基づいて、電力制御信号１０２を生成して電源部３に出力する。
【００６２】
図２は、制御部４の概略構成を示すブロック図である。制御部４は、変復調回路１０と、制御回路（電力制御手段）１１と、バッファゲート１２ａ、１２ｂ、１２ｃ、１３ａ、１３ｂ、１３ｃとを備えている。変復調回路１０は、入出力信号１０４とデータ信号１０１ａ〜１０１ｃとの間で伝送形式を変換する。制御回路１１は、検出部５ａ〜５ｃから入力された接続検出信号１０３ａ〜１０３ｃに基づいて、電力制御信号１０２を生成して電源部３に出力する。バッファゲート１２ａ〜１２ｃ、１３ａ〜１３ｃは、変復調回路１０とＩ／Ｆ部２ａ〜２ｃとの間の電圧レベルおよび電流レベルの調整を行なう。
【００６３】
さらに、バッファゲート１２ａ〜１２ｃ、１３ａ〜１３ｃは、送受されるデータ信号１０１ａ〜１０１ｃをそれぞれ一時記憶する機能を有する場合もある。この場合、バッファゲート１２ａ〜１２ｃは、変復調回路１０からＩ／Ｆ部２ａ〜２ｃに出力されるデータ信号１０１ａ〜１０１ｃの転送速度が、Ｉ／Ｆ部２ａ〜２ｃにおけるデータ信号１０１ａ〜１０１ｃの処理速度よりも速い場合に生じるデータの消失を防止することができる。また、バッファゲート１３ａ〜１３ｃは、Ｉ／Ｆ部２ａ〜２ｃから変復調回路１０に出力されるデータ信号１０１ａ〜１０１ｃの転送速度が、変復調回路１０におけるデータ信号１０１ａ〜１０１ｃの処理速度よりも速い場合に生じるデータの消失を防止することができる。
【００６４】
図３は、制御回路１１における接続検出信号１０３ａ〜１０３ｃの論理レベルと、対応する電力制御信号１０２の論理レベルとを示す真理値表である。この真理値表に基づく動作は、論理式
Ｌ（１０２）＝Ｌ（１０３ａ）＋Ｌ（１０３ｂ）＋Ｌ（１０３ｃ）
で示される論理回路により実現できる。ここで、Ｌ（ｘ）は、信号ｘの論理レベルを表わし、＋記号は、論理和を示すものとする。
【００６５】
図３より、制御回路１１は、接続検出信号１０３ａ〜１０３ｃの論理レベルの全てが「０」の場合、すなわち、全てのＩ／Ｆ部２ａ〜２ｃが非接続状態である場合にのみ、論理レベル「０」の電力制御信号１０２を電源部３に出力し、接続検出信号１０３ａ〜１０３ｃの論理レベルの何れかが「１」の場合、すなわち、何れかのＩ／Ｆ部２ａ〜２ｃが接続状態である場合にのみ、論理レベル「１」の電力制御信号１０２を電源部３に出力することになる。
【００６６】
上記構成のデータ伝送装置１において、何れかのＩ／Ｆ部２ａ〜２ｃが接続状態である場合には、検出部５ａ〜５ｃから制御部４の制御回路１１に入力される接続検出信号１０３ａ〜１０３ｃの何れかの論理レベルが「１」となる。すると、図３より、制御回路１１は、論理レベルが「１」である電力制御信号１０２を生成して電源部３に出力し、電源部３は、全てのＩ／Ｆ部２ａ〜２ｃに電力を供給して、全てのＩ／Ｆ部２ａ〜２ｃが動作する。
【００６７】
このとき、入出力信号１０４が制御部４の変復調回路１０に入力されると、変復調回路１０は、入出力信号１０４を適当な伝送方式に変調して、データ信号１０１ａ〜１０１ｃとしてバッファゲート１２ａ〜１２ｃを介してＩ／Ｆ部２ａ〜２ｃに出力する。そして、Ｉ／Ｆ部２ａ〜２ｃは、電気信号であるデータ信号１０１ａ〜１０１ｃを光信号に変換して、プラグ６ａ、６ｂおよび光ファイバ７ａ、７ｂを介して外部機器に光信号を伝送する。
【００６８】
また、光信号が外部機器から光ファイバ７ａ、７ｂおよびプラグ６ａ、６ｂを介してＩ／Ｆ部２ａ〜２ｃに入力されると、Ｉ／Ｆ部２ａ〜２ｃは、光信号を電気信号に変換して、データ信号１０１ａ〜１０１ｃとして制御部４のバッファゲート１２ａ〜１２ｃを介して制御部４の変復調回路１０に出力する。そして、変復調回路１０は、データ信号１０１ａ〜１０１ｃを適当な伝送方式に復調して、入出力信号１０４として外部機器に出力する。
【００６９】
前記データ伝送装置１において、全てのＩ／Ｆ部２ａ〜２ｃが非接続状態である場合には、検出部５ａ〜５ｃから制御部４の制御回路１１に入力される接続検出信号１０３ａ〜１０３ｃの全ての論理レベルが「０」となる。すると、図３より、制御回路１１は、論理レベルが「０」である電力制御信号１０２を生成して電源部３に出力し、電源部３は、全てのＩ／Ｆ部２ａ〜２ｃへの電力供給を停止して、全てのＩ／Ｆ部２ａ〜２ｃの動作が停止する。これにより、Ｉ／Ｆ部２ａ〜２ｃの消費電力がゼロとなる。
【００７０】
このとき、入出力信号１０４が制御部４の変復調回路１０に入力されて、変復調回路１０がデータ信号１０１ａ〜１０１ｃをバッファゲート１２ａ〜１２ｃを介してＩ／Ｆ部２ａ〜２ｃに出力しても、Ｉ／Ｆ部２ａ〜２ｃは、動作が停止しているので、データ信号１０１ａ〜１０１ｃを光信号に変換することもなく、外部機器に光信号を伝送することもない。
【００７１】
従って、本実施形態のデータ伝送装置１は、１つの電源部３を備えるのみでＩ／Ｆ部２ａ〜２ｃの省電力化を実現できるから、各Ｉ／Ｆ部２ａ〜２ｃに電源部を備える構成よりも少ない部品点数で省電力化が実現できる。
【００７２】
なお、Ｉ／Ｆ部２ａ〜２ｃの発光素子に関して、光強度が強い、あるいはコヒーレント光が照射される場合には、プラグ６ａ、６ｂが挿入されていない状態で発光すると目に障害を与える危険性がある。しかしながら、本実施形態のデータ伝送装置１は、全てのＩ／Ｆ部２ａ〜２ｃが非接続状態であるときに、全てのＩ／Ｆ部２ａ〜２ｃの動作が停止するから、前記危険性を回避できる。
【００７３】
〔実施の形態２〕
次に、本発明の他の実施の形態について、図４および図５に基づいて説明する。なお、前記した実施の形態で説明した構成と同様の機能を有する構成には、同一の符号を付して、その説明を省略する。
【００７４】
本実施形態のデータ伝送装置は、図１に示すデータ伝送装置１に比べて、制御部４とは異なる構成からなる制御部を備えており、その他の構成は同様となっている。図４は、本実施形態における制御部２０の概略構成を示すブロック図である。この制御部２０は、図２に示す制御部４に比べて、制御回路２１の動作が異なる点と、ＡＮＤゲート２２ａ、２２ｂ、２２ｃが配備される点が異なり、その他の構成は同様である。
【００７５】
制御回路２１は、検出部５ａ〜５ｃから入力された接続検出信号１０３ａ〜１０３ｃに基づいて、電力制御信号１０２および出力レベル制御信号２１０ａ、１１０ｂ、１１０ｃを生成し、電力制御信号１０２を電源部３に出力すると共に、出力レベル制御信号１１０ａ〜１１０ｃをそれぞれＡＮＤゲート２２ａ〜２２ｃに出力する。
【００７６】
ＡＮＤゲート２２ａ〜２２ｃは、変復調回路１０と、出力用バッファゲート１２ａ〜１２ｃとの間に配備される。各ＡＮＤゲート２２ａ〜２２ｃには、変復調回路１０からのデータ信号１０１ａ〜１０１ｃと、制御回路２１からの出力レベル制御信号１１０ａ〜１１０ｃとがそれぞれ入力され、出力レベル制御信号１１０ａ〜１１０ｃの論理レベルが「１」であるときには、データ信号１０１ａ〜１０１ｃを出力用バッファゲート１２ａ〜１２ｃに出力し、該論理レベルが「０」であるときには、論理レベル「０」の信号を出力する。
【００７７】
図５は、制御回路２１における接続検出信号１０３ａ〜１０３ｃの論理レベルと、対応する電力制御信号１０２および出力レベル制御信号１１０ａ〜１１０ｃの論理レベルとを示す真理値表である。この真理値表に基づく論理動作は、論理式
Ｌ（１０２）＝Ｌ（１０３ａ）＋Ｌ（１０３ｂ）＋Ｌ（１０３ｃ）、
Ｌ（１１０ａ）＝Ｌ（１０３ａ）、Ｌ（１１０ｂ）＝Ｌ（１０３ｂ）、
Ｌ（１１０ｃ）＝Ｌ（１０３ｃ）
で示される論理回路により実現できる。
【００７８】
すなわち、本実施形態における制御回路２１が生成する電力制御信号１０２は、図２および図３に示す制御回路１１が生成する電力制御信号１０２と論理レベルが同じである。また、制御回路２１が生成する出力レベル制御信号１１０ａ〜１１０ｃは、それぞれ接続検出信号１０３ａ〜１０３ｃと論理レベルが同じである。
【００７９】
上記構成のデータ伝送装置１は、図１〜３に示すデータ伝送装置１に比べて、制御回路が生成する電力制御信号１０２が同じであるから、図１〜３に示すデータ伝送装置１と同様の効果を得ることができると共に、さらに以下のような作用および効果を得ることができる。
【００８０】
上記構成のデータ伝送装置１において、接続状態であるＩ／Ｆ部に接続する検出部からの接続検出信号の論理レベルが「１」となるから、図５より、該接続検出信号に対応する出力レベル制御信号の論理レベルは、「１」となる。よって、該出力レベル制御信号が入力されるＡＮＤゲートからは、該ＡＮＤゲートに入力されたデータ信号が出力されることになる。
【００８１】
例えば、Ｉ／Ｆ部２ａが接続状態である場合は、検出部５ａからの接続検出信号１０３ａの論理レベルが「１」となるから、制御回路２１からの出力レベル制御信号１１０ａの論理レベルが「１」となる。よって、ＡＮＤゲート２２ａに入力されたデータ信号１０１ａが出力用バッファゲート１２ａを介してＩ／Ｆ部２ａに出力される。
【００８２】
一方、非接続状態であるＩ／Ｆ部が存在する場合には、該Ｉ／Ｆ部に接続する検出部からの接続検出信号の論理レベルが「０」となるから、図５より、制御回路２１は、該接続検出信号に対応する出力レベル制御信号の論理レベルが「０」となる。よって、該出力レベル制御信号が入力されるＡＮＤゲートの出力信号の論理レベルも「０」となる。
【００８３】
例えば、Ｉ／Ｆ部２ｃが非接続状態である場合は、検出部５ｃからの接続検出信号１０３ｃの論理レベルが「０」となるから、制御回路２１からの出力レベル制御信号１１０ｃの論理レベルが「０」となる。よって、ＡＮＤゲート２２ｃから出力用バッファゲート１２ｃを介してＩ／Ｆ部２ｃに出力される信号の論理レベルが「０」となる。
【００８４】
従って、接続状態のＩ／Ｆ部２ａは、変復調回路１０から入力されたデータ信号１０１ａを光信号に変換して、プラグ６ａ、６ｂおよび光ファイバ７ａ、７ｂを介して外部機器に光信号を伝送する一方、非接続状態のＩ／Ｆ部２ｃには、論理レベルが「０」の信号が入力されることになるので、Ｉ／Ｆ部２ｃにおける発光素子の発光は行なわれないことになる。その結果、非接続状態であるＩ／Ｆ部から外界へ光を照射することにより発生する前述の危険性を、Ｉ／Ｆ部毎に回避することができる。また、一般に、Ｉ／Ｆ部における消費電力は、発光状態よりも発光停止状態の方が小さいから、省電力化の効果が得られる。また、非接続状態の場合に、Ｉ／Ｆ部の発光素子が発光停止状態に維持されるから、発光素子の劣化を防止できる。
【００８５】
なお、本実施形態では、非接続状態のＩ／Ｆ部２ｃにおける発光素子の発光を停止するために、制御部２０内にＡＮＤゲート２２ａ〜２２ｃを設けて、論理レベルが「０」であるデータ信号を制御部２０からＩ／Ｆ部２ａ〜２ｃに入力することにより実現しているが、これに代えて、制御部２０の制御回路３１からＩ／Ｆ部２ａ〜２ｃにイネーブル信号を入力し、該イネーブル信号に基づいて、Ｉ／Ｆ部２ａ〜２ｃにおける発光素子の発光を停止するように構成することもできる。このとき、後述する制御部またはＩ／Ｆ部の内部回路の故障を回避するために、Ｉ／Ｆ部への電力供給を停止している場合には、データ信号の送信線と同様にイネーブル信号の送信線も高インピーダンス状態にすることが望ましい。
【００８６】
〔実施の形態３〕
次に、本発明のさらに他の実施の形態について、図６および図７に基づいて説明する。なお、前記した実施の形態で説明した構成と同様の機能を有する構成には、同一の符号を付して、その説明を省略する。
【００８７】
本実施形態の入力装置は、図１に示すデータ伝送装置１に比べて、制御部４とは異なる構成からなる制御部を備えており、その他の構成は同様となっている。図６は、制御部３０の概略構成を示すブロック図である。本実施形態における制御部３０は、図４に示す制御部２０に比べて、制御回路３１の動作が異なる点と、出力用バッファゲート３２ａ、３２ｂ、３２ｃが３ステートバッファゲートである点が異なり、その他の構成は同様である。
【００８８】
制御回路３１は、検出部５ａ〜５ｃから入力された接続検出信号１０３ａ〜１０３ｃに基づいて、電力制御信号１０２と、出力レベル制御信号１１０ａ〜１１０ｃと、出力バッファ制御信号１２０とを生成する。そして、電力制御信号１０２は電源部３に出力され、出力レベル制御信号１１０ａ〜１１０ｃはそれぞれＡＮＤゲート２２ａ〜２２ｃに出力され、出力バッファ制御信号１２０は出力用３ステートバッファゲート３２ａ〜３２ｃに出力される。
【００８９】
出力用３ステートバッファゲート３２ａ〜３２ｃは、出力バッファ制御信号１２０の論理レベルが「１」である場合には、ＡＮＤゲート２２ａ〜２２ｃから入力された信号を出力するが、該論理レベルが「０」である場合には、高インピーダンス状態に固定される。
【００９０】
図７は、制御回路３１における接続検出信号１０３ａ〜１０３ｃの論理レベルと、対応する電力制御信号１０２、出力レベル制御信号１１０ａ〜１１０ｃの論理レベル、および出力バッファ制御信号１２０とを示す真理値表である。この真理値表に基づく論理動作は、論理式
Ｌ（１０２）＝Ｌ（１２０）＝Ｌ（１０３ａ）＋Ｌ（１０３ｂ）＋Ｌ（１０３ｃ）、Ｌ（１１０ａ）＝Ｌ（１０３ａ）、Ｌ（１１０ｂ）＝Ｌ（１０３ｂ）、Ｌ（１１０ｃ）＝Ｌ（１０３ｃ）
で示される論理回路により実現できる。
【００９１】
すなわち、本実施形態における制御回路３１が生成する電力制御信号１０２は、図２および図３に示す制御回路１１が生成する電力制御信号１０２と論理レベルが同じである。また、制御回路３１が生成する出力レベル制御信号１１０ａ〜１１０ｃは、図４および図５に示す制御回路２１が生成する出力レベル制御信号１１０ａ〜１１０ｃと同様に、それぞれ接続検出信号１０３ａ〜１０３ｃと論理レベルが同じである。また、制御回路３１が生成する出力バッファ制御信号１２０は、電力制御信号１０２と論理レベルが同じである。
【００９２】
このように、上記構成のデータ伝送装置１は、図１〜３に示すデータ伝送装置１に比べて、制御回路が生成する電力制御信号１０２が同じであるから、図１〜３に示すデータ伝送装置１と同様の効果を得ることができる。また、図４および図５に示すデータ伝送装置１に比べて、制御回路が生成する出力レベル制御信号１１０ａ〜１１０ｃが同じであるから、図４および図５に示すデータ伝送装置１と同様の効果を得ることができると共に、さらに以下のような作用および効果を得ることができる。
【００９３】
上記構成のデータ伝送装置１において、全てのＩ／Ｆ部２ａ〜２ｃが非接続状態である場合には、制御回路３１は、論理レベル「０」の電力制御信号１０２を電源部３に出力することにより、全てのＩ／Ｆ部２ａ〜２ｃに対する電力供給が停止されると共に、論理レベル「０」の出力バッファ制御信号１２０を出力用３ステートバッファゲート３２ａ〜３２ｃに出力することにより、該バッファゲート３２ａ〜３２ｃが高インピーダンス状態に固定される。これにより、データ信号１０１ａ〜１０１ｃがバッファゲート３２ａ〜３２ｃからＩ／Ｆ部２ａ〜２ｃに出力されることを停止することができる。
【００９４】
制御部３０とＩ／Ｆ部２ａ〜２ｃとの間の信号形式によっては、Ｉ／Ｆ部２ａ〜２ｃに電力が供給されていない状態で信号が入出力されると、制御部３０あるいはＩ／Ｆ部２ａ〜２ｃの内部回路が故障するおそれがあるという問題がある。例えば、差動信号形式で制御部３０とＩ／Ｆ部２ａ〜２ｃとが接続されている場合、電力が供給されていないＩ／Ｆ部２ａ〜２ｃに信号が入力されると、比較的大きな電流が、Ｉ／Ｆ部２ａ〜２ｃの入力保護ダイオードを介して、Ｉ／Ｆ部２ａ〜２ｃ内部の電源回路に流れることになる。この結果、制御部３０においてデータ信号１０１ａ〜１０１ｃを駆動する駆動用トランジスタが故障する可能性がある。
【００９５】
これに対して、本実施形態のデータ伝送装置１は、電力供給が停止されたＩ／Ｆ部２ａ〜２ｃに信号が入力されることを防止できるので、上記のような問題点を回避することができる。
【００９６】
また、接続状態にないＩ／Ｆ部２ｃは、制御部３０からデータが入力されないから、データを外部機器に伝送することがない。従って、前記Ｉ／Ｆ部２ｃの省電力化を実現できる。
【００９７】
〔実施の形態４〕
次に、本発明のさらに他の実施の形態について、図８〜１０に基づいて説明する。なお、前記した実施の形態で説明した構成と同様の機能を有する構成には、同一の符号を付して、その説明を省略する。
【００９８】
図８に示す本実施形態の入力装置４０は、図１に示すデータ伝送装置１に比べて、１個の電源部３に代えて、３個の電源部３ａ、３ｂ、３ｃを備え、また、制御部４とは異なる構成からなる制御部４１を備えており、その他の構成は同様である。
【００９９】
各電源部３ａ〜３ｃは、それぞれ、制御部４１からの電力制御信号１０２ａ、１０２ｂ、１０２ｃに基づいて、電力供給線１０３ａ、１０３ｂ、１０３ｃを介して、各Ｉ／Ｆ部２ａ〜２ｃに電力を供給する。
【０１００】
本実施形態では、上記の実施形態と同様に、電力制御信号１０２ａ〜１０２ｃがデジタル信号であり、各電源部３ａ〜３ｃは、それぞれの電力制御信号１０２ａ〜１０２ｃの論理レベルが「１」である場合に、それぞれのＩ／Ｆ部２ａ〜２ｃに電力を供給し、該論理レベルが「０」である場合に、Ｉ／Ｆ部２ａ〜２ｃへの電力供給を停止することにする。
【０１０１】
図９は、制御部４１の概要構成を示すブロック図である。本実施形態における制御部４１は、図６に示す制御部３０に比べて、制御回路３１とは異なる構成からなる制御回路４２を備えており、その他の構成は同様である。
【０１０２】
制御回路４２は、検出部５ａ〜５ｃから入力された接続検出信号１０３ａ〜１０３ｃに基づいて、電力制御信号１０２ａ〜１０２ｃと、出力レベル制御信号１１０ａ〜１１０ｃと、出力バッファ制御信号１２０ａ〜１２０ｃとを生成する。電力制御信号１０２ａ〜１０２ｃは、それぞれ電源部３ａ〜３ｃに出力され、出力レベル制御信号１１０ａ〜１１０ｃはＡＮＤゲート２２ａ〜２２ｃに出力されると共に、出力バッファ制御信号１２０ａ〜１２０ｃは、それぞれ出力用３ステートバッファゲート３２ａ〜３２ｃに出力される。
【０１０３】
また、制御回路４２は、本実施形態の前記動作と、図６および図７に示すデータ伝送装置１と同様の動作とを切り替えるためのモード信号１３０が入力される。
【０１０４】
図１０は、制御回路４２における接続検出信号１０３ａ〜１０３ｃの論理レベルと、モード信号１３０の論理レベルと、対応する電力制御信号１０２ａ〜１０２ｃ、出力レベル制御信号１１０ａ〜１１０ｃの論理レベル、および出力バッファ制御信号１２０ａ〜１２０ｃの論理レベルとを示す真理値表である。この真理値表に基づく論理動作は、論理式
Ｌ（１０２ａ）＝Ｌ（１２０ａ）＝ｎｏｔ（Ｌ（１３０））＊（Ｌ（１０３ａ）＋Ｌ（１０３ｂ）＋Ｌ（１０３ｃ））＋Ｌ（１３０）＊Ｌ（１０３ａ）、Ｌ（１０２ｂ）＝Ｌ（１２０ｂ）＝ｎｏｔ（Ｌ（１３０））＊（Ｌ（１０３ａ）＋Ｌ（１０３ｂ）＋Ｌ（１０３ｃ））＋Ｌ（１３０）＊Ｌ（１０３ｂ）、Ｌ（１０２ｃ）＝Ｌ（１２０ｃ）＝ｎｏｔ（Ｌ（１３０））＊（Ｌ（１０３ａ）＋Ｌ（１０３ｂ）＋Ｌ（１０３ｃ））＋Ｌ（１３０）＊Ｌ（１０３ｃ）、Ｌ（１１０ａ）＝Ｌ（１０３ａ）、Ｌ（１１０ｂ）＝Ｌ（１０３ｂ）、Ｌ（１１０ｃ）＝Ｌ（１０３ｃ）
で示される論理回路により実現できる。ここで、ｎｏｔは論理反転、＊は論理積を示すものとする。
【０１０５】
上記構成のデータ伝送装置４０は、モード信号線１３０の論理レベルが「０」である場合には、図６および図７に示すデータ伝送装置１と同様の作用効果を得ることができると共に、該論理レベルが「１」である場合には、さらに、Ｉ／Ｆ部２ａ〜２ｃごとに電力制御を行なうことができる。
【０１０６】
従って、本実施形態のデータ伝送装置４０は、電源部３ａ〜３ｃの数が増加することにより部品点数が増加するが、Ｉ／Ｆ部２ａ〜２ｃごとにきめ細かな電力制御を行なうことにより、さらなる省電力化を実現できる。
【０１０７】
さらに、本実施形態のデータ伝送装置４０は、１つの電源部３により全てのＩ／Ｆ部２ａ〜２ｃの電力制御を行なう場合には、論理レベルが「０」であるモード信号が入力され、３つの電源部３ａ〜３ｃによりそれぞれのＩ／Ｆ部２ａ〜２ｃの電力制御を行なう場合には、論理レベルが「１」であるモード信号が入力されることにより、電源部の数に応じた電力制御を行なって、省電力化を実現できる。従って、本実施形態における制御部４１は、種々の数の電源部に対応させて電力制御を行なうことができ、該制御部４１がＬＳＩ化されている場合には、量産効果を期待できる。
【０１０８】
上述した実施形態のデータ伝送装置およびその制御方法では、双方向の通信に対応したＩ／Ｆ部を説明してきたが、本発明はこれに限定されるものではなく、Ｉ／Ｆ部が、出力だけをおこなうトランスミッタであっても、入力だけをおこなうレシーバであっても適用できる。
【０１０９】
また、制御部が独立した構成要素として示されているが、本発明はこれに限定されるものではなく、データ伝送装置に含まれるマイクロプロセッサによって実行されるソフトウェア等、他の機能を有する構成要素によって実現することもできる。
【０１１０】
さらに、制御部の機能の一部をＩ／Ｆ部の中に含めることもできる。例えば、図４に示す制御部２０のバッファゲート１２ａ〜１２ｃ、１３ａ〜１３ｃとＡＮＤゲート２２ａ〜２２ｃとを、各Ｉ／Ｆ部２ａ〜２ｃにそれぞれ配備して、変復調回路１０からのデータ信号１０１ａ〜１０１ｃと、制御回路２１からの出力レベル制御信号１１０ａ〜１１０ｃとを各Ｉ／Ｆ部２ａ〜２ｃにそれぞれ入力することもできる。
【０１１１】
また、上記実施形態の説明では、正論理を用いているが、本発明はこれに限定されるものではなく、任意の信号を負論理にした回路にも適用できる。例えばＩ／Ｆ部に「１」が入力されると消灯し、「０」が入力されると点灯するようなデータ伝送装置にも適用できる。
【０１１２】
また、上記実施形態では、電力制御信号１０２を電源部３に入力することによる電力制御の実施形態（図１〜３）に対し、ＡＮＤゲート２２ａ〜２２ｃを追加した実施形態（図４および５）と、出力用３ステートバッファゲート３２ａ〜３２ｃを追加した実施形態（図６および７）とを説明しているが、前記電力制御を実行しなくても、ＡＮＤゲートまたは３ステートバッファゲートを設けることにより、上述のように、Ｉ／Ｆ部における省電力化の効果を実現できる。
【０１１３】
【実施例】
ここで、上記した実施の形態に係るデータ伝送装置を、ＩＥＥＥ  Ｓｔｄ  １３９４シリアルバス規格に適用した例について説明する。
【０１１４】
図１１は、一例として、図１に示すデータ伝送装置１をＩＥＥＥ  Ｓｔｄ  １３９４シリアルバス規格に適用したデータ伝送装置５０の概略構成を示すブロック図である。ＩＥＥＥ  Ｓｔｄ  １３９４シリアルバス規格は、ＡＶ機器をはじめとした民生用機器に用いられている通信規格であり、木構造のトポロジによって接続されるため、１つの機器が複数のＩ／Ｆ部を備えることが多い。また、中継機能を実現するために、機器本体が使用されておらず、電源供給が停止している状態であっても、シリアルバスの通信にかかわる部分は動作していることが多い。
【０１１５】
このような性質をもつ通信規格ではあるが、民生用機器に用いるため、コストと消費電力との削減が求められている。また、ＩＥＥＥ  Ｓｔｄ  １３９４規格を拡張した規格であるＯＰ  ｉ．ＬＩＮＫ仕様、および、ＩＥＥＥ  Ｓｔｄ  １３９４ｂにおいては、光ファイバ７ａ、７ｂによる通信仕様が定められており、通信が行なわれていない期間に光トランシーバ５１ａ、５１ｂ、５１ｃからコヒーレント光が出力される、あるいは強度の強い光が出力されることによる目の障害や、発光素子の寿命の短縮を防止することも求められている。
【０１１６】
本発明によるデータ伝送装置およびその制御方法は、上記の要求に適合するデータ伝送装置および制御方法である。
【０１１７】
ＩＥＥＥ  Ｓｔｄ  １３９４シリアルバス規格においては、制御部に相当する機能は、ＰＨＹまたは物理層（Ｐｈｙｓｉｃａｌ  ｌａｙｅｒ）と呼ばれており、この機能を実現するＬＳＩは、ＰＨＹ  ＬＳＩ５２と呼ばれている。
【０１１８】
ＩＥＥＥ  Ｓｔｄ  １３９４シリアルバス規格においては、ＰＨＹ  ＬＳＩ５２と、その上位通信階層とのインターフェースは、ＰＨＹ−ＬＩＮＫインターフェースと呼ばれており、ＰＨＹ  ＬＳＩ５２は、このインターフェースの規約に従う他のＬＳＩと交換可能である。
【０１１９】
また、本実施例のデータ伝送装置では、ＰＨＹ−ＬＩＮＫインターフェースのＰＨＹ側の機能は、ＰＨＹ  ＬＳＩ５２内の変復調回路により実現でき、本発明の特徴部分は、ＰＨＹ  ＬＳＩ内の制御回路、ＡＮＤゲート、出力用３ステートバッファゲート等により実現できるから、本発明の構成要素は、ＰＨＹ−ＬＩＮＫインターフェースに影響を与えない。従って、既存のＩＥＥＥ  Ｓｔｄ  １３９４シリアルバス規格に準拠した機器に本実施例のデータ伝送装置を容易に適用できる。
【０１２０】
【発明の効果】
以上のように、本発明のデータ伝送装置の制御方法は、データを所定の伝送形式に変換して外部機器へ伝送する複数のＩ／Ｆ部と、該Ｉ／Ｆ部に電力を供給する１個の電源部と、各Ｉ／Ｆ部が外部機器と接続状態であるか否かを検出する検出部とを備えるデータ伝送装置の制御方法であって、何れかの前記Ｉ／Ｆ部が前記接続状態であることを前記検出部が検出した場合には、前記電源部から全ての前記Ｉ／Ｆ部に電力を供給するように制御し、何れの前記Ｉ／Ｆ部も前記接続状態ではないことを前記検出部が検出した場合には、前記電源部から何れの前記Ｉ／Ｆ部にも電力の供給を停止するように制御する構成である。
【０１２１】
上記制御方法において、何れかの前記Ｉ／Ｆ部が前記接続状態である場合には、前記電源部から全ての前記Ｉ／Ｆ部に電力を供給するように制御される。これにより、接続状態にあるＩ／Ｆ部に電力が供給されて外部機器へデータを伝送できる。また、何れの前記Ｉ／Ｆ部も前記接続状態ではない場合には、前記電源部から何れの前記Ｉ／Ｆ部にも電力の供給を停止するように制御される。これにより、全ての前記Ｉ／Ｆ部の消費電力がゼロとなる。
【０１２２】
従って、本発明のデータ伝送装置の制御方法は、電源部が１つであっても、全ての前記Ｉ／Ｆ部が接続状態ではないときに省電力化できるから、少ない部品点数で省電力化が実現できる。
【０１２３】
さらに、本発明のデータ伝送装置の制御方法は、上記の構成において、外部機器へ伝送するためのデータを出力しようとするＩ／Ｆ部が、接続状態であることを検出部が検出している場合には、該Ｉ／Ｆ部に前記データを出力し、前記Ｉ／Ｆ部が前記接続状態ではないことを前記検出部が検出している場合には、前記Ｉ／Ｆ部が外部機器へ伝送する出力レベルが低レベルとなるような信号を前記Ｉ／Ｆ部に出力するように制御する構成である。
【０１２４】
上記制御方法において、前記データを出力しようとするＩ／Ｆ部が接続状態である場合には、該Ｉ／Ｆ部に前記データを出力するように制御される。これにより、接続状態にあるＩ／Ｆ部は、外部機器へデータを伝送できる。また、前記データを出力しようとするＩ／Ｆ部が前記接続状態ではない場合には、前記Ｉ／Ｆ部が外部機器へ伝送する出力レベルが低レベルとなるような信号を前記Ｉ／Ｆ部に出力するように制御される。これにより、接続状態ではない前記Ｉ／Ｆ部の出力レベルが低下するから、省電力化を実現できる。
【０１２５】
従って、本発明のデータ伝送装置の制御方法は、何れかの前記Ｉ／Ｆ部が接続状態であるために、電力制御による省電力化を行なうことができない場合であっても、接続状態ではないＩ／Ｆ部の省電力化を実現できる。
【０１２６】
さらに、本発明のデータ伝送装置の制御方法は、上記の構成において、何れかの前記Ｉ／Ｆ部が接続状態であることを検出部が検出した場合には、外部機器へ伝送するためのデータを、所望の前記Ｉ／Ｆ部に出力し、何れの前記Ｉ／Ｆ部も前記接続状態ではないことを前記検出部が検出した場合には、前記データを何れの前記Ｉ／Ｆ部にも出力しないように制御する構成である。
【０１２７】
上記制御方法において、何れかの前記Ｉ／Ｆ部が接続状態である場合には、全ての前記Ｉ／Ｆ部に電力を供給すると共に、前記データを所望の前記Ｉ／Ｆ部に出力するように制御される。これにより、接続状態にあるＩ／Ｆ部は、外部機器へデータを伝送できる。また、何れの前記Ｉ／Ｆ部も前記接続状態ではない場合には、全ての前記Ｉ／Ｆ部に電力の供給を停止すると共に、前記データを何れの前記Ｉ／Ｆ部にも出力しないように制御される。これにより、電力の供給が停止された前記Ｉ／Ｆ部に前記データが入力されることはない。
【０１２８】
従って、本発明のデータ伝送装置の制御方法は、電力の供給が停止された前記Ｉ／Ｆ部に前記データが入力されることにより生じるおそれがあるＩ／Ｆ部の内部回路の故障を防止できる。
【０１２９】
また、本発明のデータ伝送装置の制御方法は、以上のように、複数の前記Ｉ／Ｆ部と、前記検出部とを備えるデータ伝送装置の制御方法であって、外部機器へ伝送するためのデータを出力しようとするＩ／Ｆ部が、接続状態であることを検出部が検出している場合には、該Ｉ／Ｆ部に前記データを出力し、前記Ｉ／Ｆ部が前記接続状態ではないことを前記検出部が検出している場合には、前記Ｉ／Ｆ部が外部機器へ伝送する出力レベルが低レベルとなるような信号を前記Ｉ／Ｆ部に出力するように制御する構成である。
【０１３０】
上記制御方法において、前記データを出力しようとするＩ／Ｆ部が接続状態である場合には、該Ｉ／Ｆ部に前記データを出力するように制御される。これにより、接続状態にあるＩ／Ｆ部は、外部機器へデータを伝送できる。また、前記データを出力しようとするＩ／Ｆ部が前記接続状態ではない場合には、前記Ｉ／Ｆ部が外部機器へ伝送する出力レベルが低レベルとなるような信号を前記Ｉ／Ｆ部に出力するように制御される。これにより、接続状態ではない前記Ｉ／Ｆ部の出力レベルが低下するから、省電力化を実現できる。
【０１３１】
従って、本発明のデータ伝送装置の制御方法は、Ｉ／Ｆ部の電力制御による省電力化を行なうことがないデータ伝送装置であっても、接続状態ではないＩ／Ｆ部の省電力化を実現できる。
【０１３２】
また、本発明のデータ伝送装置の制御方法は、以上のように、複数の前記Ｉ／Ｆ部と、前記検出部とを備えるデータ伝送装置の制御方法であって、外部機器へ伝送するためのデータを出力しようとするＩ／Ｆ部が、接続状態であることを検出部が検出している場合には、該Ｉ／Ｆ部に前記データを出力し、前記Ｉ／Ｆ部が前記接続状態ではないことを前記検出部が検出している場合には、前記Ｉ／Ｆ部に前記データを出力しないように制御する構成である。
【０１３３】
上記制御方法において、前記データを出力しようとするＩ／Ｆ部が接続状態である場合には、該Ｉ／Ｆ部に前記データを出力するように制御される。これにより、接続状態にあるＩ／Ｆ部は、外部機器へデータを伝送できる。また、前記Ｉ／Ｆ部が前記接続状態ではない場合には、前記Ｉ／Ｆ部に前記データを出力しないように制御される。これにより、接続状態にはない前記Ｉ／Ｆ部は、外部機器へデータを伝送することがないから、省電力化を実現できる。
【０１３４】
従って、本発明のデータ伝送装置の制御方法は、Ｉ／Ｆ部の電力制御による省電力化を行なうことがないデータ伝送装置であっても、接続状態ではないＩ／Ｆ部の省電力化を実現できる。また、Ｉ／Ｆ部の電力制御による省電力化を行なうデータ伝送装置であっても、接続状態にないために電力の供給が停止された前記Ｉ／Ｆ部に前記データが入力されることにより生じるおそれがあるＩ／Ｆ部の内部回路の故障を防止できる。
【０１３５】
また、本発明の制御ユニットを備えるデータ伝送装置は、以上のように、複数の前記Ｉ／Ｆ部と、１個の前記電源部と、該電源部を制御する制御ユニットと、各Ｉ／Ｆ部が外部機器と接続状態であるか否かを検出して、接続検出信号を制御ユニットに出力する検出部とを備える。前記制御ユニットは、前記接続検出信号により、何れかの前記Ｉ／Ｆ部が前記接続状態であることを検知した場合には、前記電源部から全ての前記Ｉ／Ｆ部に電力を供給するように制御する電力制御信号を電源部に出力し、何れの前記Ｉ／Ｆ部も前記接続状態ではないことを検知した場合には、前記電源部から何れの前記Ｉ／Ｆ部にも電力を供給しないように制御する電力制御信号を電源部に出力する電力制御手段を備える構成である。
【０１３６】
前記データ伝送装置において、各検出部は、それぞれのＩ／Ｆ部の接続状態に対応した接続検出信号を前記制御ユニットに出力し、前記制御ユニットは、前記接続検出信号に基づく電力制御信号を前記電源部に出力し、かつ、前記電源部は、前記電力制御信号に基づいて、前記Ｉ／Ｆ部への電力の供給あるいは供給停止を行なう。
【０１３７】
上記構成の制御ユニットは、何れかの前記Ｉ／Ｆ部が前記接続状態である場合には、前記電源部から全ての前記Ｉ／Ｆ部に電力を供給するように制御する電力制御信号を電源部に出力し、何れの前記Ｉ／Ｆ部も前記接続状態ではないことを検知した場合には、前記電源部から何れの前記Ｉ／Ｆ部にも電力を供給しないように制御する電力制御信号を前記電源部に出力する。
【０１３８】
このとき、前記データ伝送装置は、何れかの前記Ｉ／Ｆ部が前記接続状態である場合には、前記制御ユニットの制御により、前記電源部から全ての前記Ｉ／Ｆ部に電力が供給される。これにより、接続状態にあるＩ／Ｆ部に電力が供給されて外部機器へデータを伝送できる。また、何れの前記Ｉ／Ｆ部も前記接続状態ではない場合には、前記制御ユニットの制御により、前記電源部は、全てのＩ／Ｆ部への電力供給が停止される。これにより、全ての前記Ｉ／Ｆ部の消費電力がゼロとなる。
【０１３９】
従って、本発明の制御ユニットを備えたデータ伝送装置は、電源部が１つであっても、全ての前記Ｉ／Ｆ部が接続状態ではないときに省電力化できるから、少ない部品点数で省電力化が実現できる。
【０１４０】
さらに、本発明の制御ユニットは、上記の構成において、外部機器へ伝送するためのデータを前記Ｉ／Ｆ部へ出力することを制御するものであり、前記接続検出信号により、前記データを出力しようとする前記Ｉ／Ｆ部が、接続状態であることを検知している場合には、該Ｉ／Ｆ部に前記データを出力し、前記Ｉ／Ｆ部が前記接続状態ではないことを検知している場合には、前記Ｉ／Ｆ部が外部機器へ伝送する出力レベルが低レベルとなるような信号を前記Ｉ／Ｆ部に出力するように制御する構成である。
【０１４１】
上記構成の制御ユニットは、前記接続検出信号に基づいて、前記データのＩ／Ｆ部への出力を制御する。すなわち、前記データを出力しようとするＩ／Ｆ部が接続状態である場合には、該Ｉ／Ｆ部に前記データを出力し、前記Ｉ／Ｆ部が前記接続状態ではない場合には、前記Ｉ／Ｆ部が外部機器へ伝送する出力レベルが低レベルとなるような信号を前記Ｉ／Ｆ部に出力するように制御する。
【０１４２】
このとき、前記データ伝送装置は、前記制御ユニットの制御により、前記データを出力しようとするＩ／Ｆ部が接続状態である場合には、該Ｉ／Ｆ部に前記データが出力される。これにより、接続状態にあるＩ／Ｆ部は、外部機器へデータを伝送できる。また、前記データを出力しようとするＩ／Ｆ部が前記接続状態ではない場合には、前記Ｉ／Ｆ部が外部機器へ伝送する出力レベルが低レベルとなるような信号が前記Ｉ／Ｆ部に出力される。これにより、接続状態ではない前記Ｉ／Ｆ部の出力レベルが低下するから、省電力化を実現できる。
【０１４３】
従って、本発明の制御ユニットを備えたデータ伝送装置は、何れかの前記Ｉ／Ｆ部が接続状態であるために、電力制御による省電力化を行なうことができない場合であっても、接続状態ではないＩ／Ｆ部の省電力化を実現できる。
【０１４４】
さらに、本発明の制御ユニットは、上記の構成において、外部機器へ伝送するためのデータを前記Ｉ／Ｆ部へ出力することを制御するものであり、前記接続検出信号により、何れかの前記Ｉ／Ｆ部が接続状態であることを検知した場合には、前記データを、所望の前記Ｉ／Ｆ部に出力し、何れの前記Ｉ／Ｆ部も前記接続状態ではないことを検知した場合には、前記データを何れの前記Ｉ／Ｆ部にも出力しないように制御する構成である。
【０１４５】
上記構成の制御ユニットは、前記接続検出信号に基づいて、前記データのＩ／Ｆ部への出力を制御する。すなわち、前記データを出力しようとするＩ／Ｆ部が接続状態である場合には、該Ｉ／Ｆ部に前記データを出力し、前記Ｉ／Ｆ部が前記接続状態ではない場合には、前記Ｉ／Ｆ部に前記データを出力しないように制御する。
【０１４６】
このとき、前記データ伝送装置は、前記制御ユニットの制御により、何れかの前記Ｉ／Ｆ部が接続状態である場合には、全ての前記Ｉ／Ｆ部に電力を供給すると共に、前記データを所望の前記Ｉ／Ｆ部に出力するように制御される。これにより、接続状態にあるＩ／Ｆ部は、外部機器へデータを伝送できる。また、何れの前記Ｉ／Ｆ部も前記接続状態ではない場合には、全ての前記Ｉ／Ｆ部に電力の供給を停止すると共に、前記データを何れの前記Ｉ／Ｆ部にも出力しないように制御される。これにより、電力の供給が停止された前記Ｉ／Ｆ部に前記データが入力されることはない。
【０１４７】
従って、本発明の制御ユニットを備えたデータ伝送装置は、電力の供給が停止された前記Ｉ／Ｆ部に前記データが入力されることにより生じるおそれがあるＩ／Ｆ部の内部回路の故障を防止できる。
【０１４８】
さらに、本発明の制御ユニットを備えるデータ伝送装置は、各Ｉ／Ｆ部に電力を供給する複数個の電源部を備えており、前記制御ユニットは、上記の構成において、以下の構成を有する。
【０１４９】
前記電力制御手段は、前記接続検出信号により、何れかの前記Ｉ／Ｆ部が前記接続状態であることを検知した場合には、前記電源部からそれぞれの前記Ｉ／Ｆ部に電力を供給するように制御する電力制御信号を各電源部に出力し、何れの前記Ｉ／Ｆ部も前記接続状態ではないことを検知した場合には、前記電源部から何れの前記Ｉ／Ｆ部にも電力を供給しないように制御する電力制御信号を電源部に出力する第１の電力制御処理と、前記接続検出信号により、接続状態にあるＩ／Ｆ部にのみ電力を供給するように制御する電力制御信号を前記電源部に出力する第２の電力制御処理を行なう。制御ユニットは、外部からのモード信号に基づき、第１および第２の電力制御処理の何れか一方を行なうように切り替える。
【０１５０】
上記構成の制御ユニットは、前記切替手段により、第１の電力制御処理を行なう際には、何れかの前記Ｉ／Ｆ部が前記接続状態である場合には、前記電源部からそれぞれの前記Ｉ／Ｆ部に電力を供給するように制御する電力制御信号を各電源部に出力し、何れの前記Ｉ／Ｆ部も前記接続状態ではない場合には、前記電源部から何れの前記Ｉ／Ｆ部にも電力を供給しないように制御する電力制御信号を電源部に出力する。一方、前記制御ユニットは、前記切替手段により、第２の電力制御処理を行なう際には、接続状態にあるＩ／Ｆ部にのみ電力を供給するように制御する電力制御信号を前記電源部に出力する。
【０１５１】
このとき、前記データ伝送装置は、１つの前記電源部により全ての前記Ｉ／Ｆ部の電力制御を行なう場合には、前記制御ユニットの第１の電力制御処理を行ない、複数の前記電源部によりそれぞれのＩ／Ｆ部の電力制御を行なう場合には、前記制御ユニットの第２の電力制御処理を行なうことにより、電源部の数に応じた電力制御を行なって、省電力化を実現できる。
【０１５２】
また、本発明の制御ユニットを備えるデータ伝送装置は、以上のように、複数の前記Ｉ／Ｆ部と、前記データを前記Ｉ／Ｆ部に出力することを制御する制御ユニットと、前記検出部とを備える。前記制御ユニットは、前記接続検出信号により、外部機器へ伝送するためのデータを出力しようとするＩ／Ｆ部が、接続状態であることを検知している場合には、該Ｉ／Ｆ部に前記データを出力し、前記Ｉ／Ｆ部が前記接続状態ではないことを検知している場合には、前記Ｉ／Ｆ部が外部機器へ伝送する出力レベルが低レベルとなるような信号を前記Ｉ／Ｆ部に出力するように制御する構成である。
【０１５３】
前記データ伝送装置において、各検出部は、それぞれのＩ／Ｆ部の接続状態に対応した接続検出信号を前記制御ユニットに出力し、前記制御ユニットは、前記接続検出信号に基づいて、前記データを前記Ｉ／Ｆ部に出力することを制御する。
【０１５４】
上記構成の制御ユニットは、前記データを出力しようとするＩ／Ｆ部が接続状態である場合には、該Ｉ／Ｆ部に前記データを出力する。これにより、接続状態にあるＩ／Ｆ部は、外部機器へデータを伝送できる。また、前記Ｉ／Ｆ部が前記接続状態ではない場合には、前記Ｉ／Ｆ部が外部機器へ伝送する出力レベルが低レベルとなるような信号を前記Ｉ／Ｆ部に出力するように制御する。これにより、接続状態ではない前記Ｉ／Ｆ部の出力レベルが低下するから、省電力化を実現できる。
【０１５５】
従って、本発明の制御ユニットを備えたデータ伝送装置は、Ｉ／Ｆ部の電力制御による省電力化を行なうことがないデータ伝送装置であっても、接続状態ではないＩ／Ｆ部の省電力化を実現できる。
【０１５６】
また、本発明の制御ユニットを備えるデータ伝送装置は、以上のように、複数の前記Ｉ／Ｆ部と、前記データを前記Ｉ／Ｆ部に出力することを制御する制御ユニットと、前記検出部とを備える。前記制御ユニットは、前記接続検出信号により、前記データを出力しようとするＩ／Ｆ部が、接続状態であることを検知している場合には、該Ｉ／Ｆ部に前記データを出力し、前記Ｉ／Ｆ部が前記接続状態ではないことを検知している場合には、前記Ｉ／Ｆ部に前記データを出力しないように制御する構成である。
【０１５７】
前記データ伝送装置において、各検出部は、それぞれのＩ／Ｆ部の接続状態に対応した接続検出信号を前記制御ユニットに出力し、前記制御ユニットは、前記接続検出信号に基づいて、前記データを前記Ｉ／Ｆ部に出力することを制御する。
【０１５８】
上記構成の制御ユニットは、前記データを出力しようとするＩ／Ｆ部が、接続状態である場合には、該Ｉ／Ｆ部に前記データを出力する。これにより、接続状態にあるＩ／Ｆ部は、外部機器へデータを伝送できる。また、前記Ｉ／Ｆ部が前記接続状態ではない場合には、前記Ｉ／Ｆ部に前記データを出力しない。これにより、接続状態にはない前記Ｉ／Ｆ部は、外部機器へデータを伝送することがないから、省電力化を実現できる。
【０１５９】
従って、本発明の制御ユニットを備えたデータ伝送装置は、Ｉ／Ｆ部の電力制御による省電力化を行なうことがないデータ伝送装置であっても、接続状態ではないＩ／Ｆ部の省電力化を実現できる。また、Ｉ／Ｆ部の電力制御による省電力化を行なうデータ伝送装置であっても、接続状態にないために電力の供給が停止された前記Ｉ／Ｆ部に前記データが入力されることにより生じるおそれがあるＩ／Ｆ部の内部回路の故障を防止できる。
【０１６０】
なお、以上の制御ユニットは、ＩＥＥＥ  Ｓｔｄ  １３９４シリアルバス規格に準拠したデータ通信を行なうものであってもよい。
【０１６１】
また、本発明のデータ伝送装置は、以上のように、複数前記Ｉ／Ｆ部と、１または複数個の前記電源部と、上述の何れかの構成を有する制御ユニットと、前記検出部とを備える構成である。
【０１６２】
上記構成のデータ伝送装置であれば、上述した効果を得ることができる。
【図面の簡単な説明】
【図１】  本発明の実施の一形態に係るデータ伝送装置の概略構成を示すブロック図である。
【図２】  図１に示す制御部の概略構成を示すブロック図である。
【図３】  図２に示す制御回路において、接続検出信号の論理レベルと、対応する電力制御信号の論理レベルとを示す真理値表である。
【図４】  本発明の他の実施の形態に係るデータ伝送装置において、制御部の概略構成を示すブロック図である。
【図５】  図４に示す制御回路において、接続検出信号の論理レベルと、対応する電力制御信号および出力レベル制御信号の論理レベルとを示す真理値表である。
【図６】  本発明のさらに他の実施の形態に係るデータ伝送装置において、制御部の概略構成を示すブロック図である。
【図７】  図６に示す制御回路において、接続検出信号の論理レベルと、対応する電力制御信号、出力レベル制御信号および出力バッファ制御信号の論理レベルとを示す真理値表である。
【図８】  本発明のさらに他の実施の形態に係るデータ伝送装置の概略構成を示すブロック図である。
【図９】  図８に示す制御部の概略構成を示すブロック図である。
【図１０】  図９に示す制御回路において、接続検出信号およびモード信号の論理レベルと、対応する電力制御信号、出力レベル制御信号および出力バッファ制御信号の論理レベルとを示す真理値表である。
【図１１】  図１に示すデータ伝送装置をＩＥＥＥ  Ｓｔｄ  １３９４シリアルバス規格に適用した実施例の概略構成を示すブロック図である。
【符号の説明】
１、                                  データ伝送装置
２ａ、２ｂ、２ｃ                      Ｉ／Ｆ（インターフェース）部
３、３ａ、３ｂ、３ｃ                  電源部
４、２０、３０、４１                  制御部（制御ユニット）
５ａ、５ｂ、５ｃ                      検出部
８、８ａ、８ｂ、８ｃ                  電力制御線
１１、２１、３１、４２                制御回路（電力制御手段）
２２ａ、２２ｂ、２２ｃ                ＡＮＤゲート
３２ａ、３２ｂ、３２ｃ                ３ステートバッファゲート
１０１ａ、１０１ｂ、１０１ｃ          データ信号
１０２、１０２ａ、１０２ｂ、１０２ｃ  電力制御信号
１０３ａ、１０３ｂ、１０３ｃ          接続検出信号
１３０                                モード信号
【図１】
0003816366.tif 000002
【図２】
0003816366.tif 000003
【図３】
0003816366.tif 000004
【図４】
0003816366.tif 000005
【図５】
0003816366.tif 000006
【図６】
0003816366.tif 000007
【図７】
0003816366.tif 000008
【図８】
0003816366.tif 000009
【図９】
0003816366.tif 000010
【図１０】
0003816366.tif 000011
【図１１】
0003816366.tif 000012